(57)【要約】  その内部からの物品の取り出しを可能とするよう構成された配給機構を有するカートン(10)。このカートンを組み立てるために、複数のパネル(54,58,62,66)が一つに連結され、これによってカートンの端部が形成される。少なくとも一つの除去可能部分(86)が、この組み立てられたカートンに付与され、しかもそれは無端引裂き線(88)によって形成される。この無端引裂き線は複数の部分(88a,88b,88c,88d)を含み、これらはそれぞれ、上面壁、一方の側壁、そして上面壁(24)および一方の側壁(20)から延在する端部フラップに形成される。
2007527347.tif 000002
【特許請求の範囲】
【請求項１】
複数の物品を収容するための筒状体が形成されるよう一対の側壁によって相互連結された対向する上面壁および底面壁と、
前記筒状体の両端を少なくとも部分的に閉塞するための一対の端部閉塞構造体と、
無端引裂き線によって形成された、カートンの第１の除去可能部分によって付与される物品ディスペンサーと、を具備してなるカートンであって、
前記無端引裂き線は、
前記上面壁に形成されかつ前記上面壁の端縁部と前記上面壁の側縁部との間に延在する第１の部分と、
前記側壁の一つに形成されかつ前記上面壁の前記側縁部から前記側壁の端縁部まで延在する第２の部分と、
前記端部閉塞構造体の一つに形成されかつ前記上面壁の前記端縁部と前記側壁の前記端縁部との間に延在する第３の部分と、を具備してなることを特徴とするカートン。
【請求項２】
前記無端引裂き線の前記第１の部分の一部によって少なくとも部分的に形成された引裂き起点タブをさらに具備してなることを特徴とする請求項１に記載のカートン。
【請求項３】
一方の端部閉塞構造体は、前記上面壁の前記端縁部に折り曲げ可能に連結された上面端部フラップと、前記一方の側壁の前記端縁部に折り曲げ可能に連結された側方端部フラップと、を具備してなり、前記上面端部フラップは前記上面壁から下方に延在し、前記側方端部フラップは前記側壁の一方から前記側壁の他方に向って延在し、かつ前記無端引裂き線の前記第３の部分は第１の小部分および第２の小部分を具備してなり、前記第１の小部分は前記上面端部フラップに形成され、前記第２の小部分は前記側方端部フラップに形成されていることを特徴とする請求項１に記載のカートン。
【請求項４】
前記第１の小部分は前記上面壁の前記端縁部から前記上面端部フラップの側縁部まで延在しており、かつ前記第２小部分は前記一方の側壁の前記端縁部から前記側方端部フラップの遠位縁部まで延在していることを特徴とする請求項３に記載のカートン。
【請求項５】
前記一方の端部閉塞構造体は、前記底面壁の端縁部に折り曲げ可能に連結された底面端部フラップをさらに具備してなり、前記底面端部フラップは前記底面壁から上方に延在しており、前記無端引裂き線の前記第３の部分は前記底面端部フラップに形成された第３の小部分をさらに具備してなり、前記第３の小部分は前記第１の小部分と前記第２の小部分とを相互連結していることを特徴とする請求項３に記載のカートン。
【請求項６】
前記第１の小部分は前記上面壁の前記端縁部から前記上面端部フラップの下側縁部まで下方に延在し、前記第２の小部分は前記一方の側壁の前記端縁部から前記側方端部フラップの遠位縁部まで延在しており、前記第３の小部分は前記底面端部フラップの上側縁部から前記底面端部フラップの側縁部まで延在していることを特徴とする請求項５に記載のカートン。
【請求項７】
前記第１の除去可能部分の、前記上面および一方の側壁のうちの一方の端縁部に沿った寸法は、前記上面および一方の側壁のうちの一方の、その端縁部に沿った寸法の半分以上であることを特徴とする請求項１に記載のカートン。
【請求項８】
２段の物品群を収容するよう構成されてなると共に、２段の物品の群の間に配置されるよう構成された仕切りパネルをさらに具備してなることを特徴とする請求項１に記載のカートン。
【請求項９】
前記一方の端部閉塞構造体に少なくとも部分的に形成された無端引裂き線によって形成された第２の除去可能部分をさらに具備してなることを特徴とする請求項１に記載のカートン。
【請求項１０】
前記第１および第２の除去可能部分は、この第１および第２の除去可能部分のそれぞれの無端引裂き線の共通部分に沿って互いに接していることを特徴とする請求項９に記載のカートン。
【請求項１１】
前記無端引裂き線の前記共通部分は、前記一方の端部閉塞構造体に少なくとも部分的に形成されることを特徴とする請求項１０に記載のカートン。
【請求項１２】
前記無端引裂き線の前記共通部分は、前記一方の端部閉塞構造体から前記上面壁内へ延在していることを特徴とする請求項１１に記載のカートン。
【請求項１３】
前記一方の端部閉塞構造体は、前記上面壁の前記端縁部に折り曲げ可能に連結された上面端部フラップと、前記一方の側壁の前記端縁部に折り曲げ可能に連結された側方端部フラップと、を具備し、前記上面端部フラップは前記上面壁から下方に延在しており、かつ前記無端引裂き線の前記共通部分は前記上面端部フラップに少なくとも部分的に形成されることを特徴とする請求項１１に記載のカートン。
【請求項１４】
前記上面端部フラップは、さらに前記共通部分の下側端部と交差する破断線によって形成されており、前記破断線は、前記無端引裂き線のそれぞれの部分を提供するよう前記上面端部フラップを横切って延在していることを特徴とする請求項１３に記載のカートン。
【請求項１５】
前記第１の除去可能部分は、前記上面壁の一部と、前記一方の側壁の一部と、前記一方の端部閉塞構造体の一部とによってもたらされることを特徴とする請求項１に記載のカートン。
【請求項１６】
前記一方の端部閉塞構造体は、前記上面壁の前記端縁部に折り曲げ可能に連結された上面端部フラップと、前記一方の側壁の前記端縁部に折り曲げ可能に連結された側方端部フラップと、を具備してなり、前記上面端部フラップは前記上面壁から下方に延在し、前記側方端部フラップは前記一方の側壁から前記他方の側壁に向かって延在し、かつ前記一方の端部閉塞構造体の前記一部は、前記上面端部フラップの一部および前記側方端部フラップの一部を具備してなることを特徴とする請求項１５に記載のカートン。
【請求項１７】
前記一方の端部閉塞構造体は、前記底面壁の端縁部に折り曲げ可能に連結された底面端部フラップをさらに具備してなり、前記底面端部フラップは前記底面壁から上方に延在し、かつ前記一方の端部閉塞構造体の前記一部は、前記底面端部フラップの一部をさらに具備してなることを特徴とする請求項１６に記載のカートン。
【請求項１８】
前記第２の除去可能部分は、前記上面壁の一部と、前記他方の側壁の一部と、前記一方の端部閉塞構造体の一部とによってもたらされることを特徴とする請求項９に記載のカートン。
【請求項１９】
複数の物品を収容するための筒状体が形成されるよう一対の側壁によって相互連結された対向する上面壁および底面壁と、
前記筒状体の両端を少なくとも部分的に閉塞するための一対の端部閉塞構造体と、
引裂き線によって形成された、カートンの第１の除去可能部分によって付与される物品ディスペンサーと、を具備してなるカートンであって、
前記引裂き線は、
前記上面壁に形成されかつ前記上面壁の端縁部と前記上面壁の側縁部との間で延在する第１の部分と、
前記側壁に一つに形成されかつ前記上面壁の前記側縁部から前記側壁の端縁部まで延在する第２の部分と、
前記端部閉塞構造体の一つに形成された第３の部分であって、前記一方の端部構造体は、前記上面壁の前記端縁部に折り曲げ可能に連結された上面端部フラップと、前記一方の側壁の前記端縁部に連結された側方端部フラップと、を具備してなり、前記上面端部フラップは前記上面壁から下方に延在し、前記側方端部フラップは前記一方の側壁から前記他方の側壁に向かって延在し、この第３の部分は、前記上面端部フラップに形成されると共に前記上面壁の前記端縁部から前記上面端部フラップの下側端部まで下方に延在する第１の小部分と、前記側方端部フラップに形成されると共に前記一方の側壁の前記端端部から前記側方端部フラップの遠位端部まで延在する第２の小部分と、を具備してなるものである第３の部分と、
を具備してなることを特徴とするカートン。
【請求項２０】
前記上面端部フラップの前記下側縁部は、カートンの端部から見たとき、前記引裂き線の前記第２の小部分からオフセットしていることを特徴とする請求項１９に記載のカートン。
【請求項２１】
前記上面端部フラップの前記下側縁部は、カートンの端部から見たとき、前記引裂き線の前記第２の小部分と整列していることを特徴とする請求項１９に記載のカートン。
【請求項２２】
前記一方の端部閉塞構造体は前記底面壁の端縁部に折り曲げ可能に連結された底面端部フラップをさらに具備してなり、前記底面端部フラップは前記底面壁から上方に延在し、前記引裂き線の前記第３の部分は前記底面端部フラップに形成された第３の小部分をさらに具備してなり、前記第３の小部分は前記第１の小部分と前記第２の小部分とを相互連結していることを特徴とする請求項１９に記載のカートン。
【請求項２３】
前記第３の小部分は、前記底面端部フラップの上側縁部から前記底面端部フラップの側縁部まで延在していることを特徴とする請求項２２に記載のカートン。
【請求項２４】
前記第３の小部分はＬ形状のものであり、前記第３の小部分は、前記第１の小部分と整列する上側アームセクションと、前記第２の小部分と整列する下側アームセクションと、を具備してなることを特徴とする請求項２３に記載のカートン。
【発明の詳細な説明】
【技術分野】
【０００１】
本発明は概して物品の包装に使用される板紙製のカートンに関し、さらに詳しくは、その中から物品を配給するための少なくとも一つの開口部を備えた配給用カートンに関する。
【背景技術】
【０００２】
カートンは有用なものであり、消費者がソフトドリンクのような物品を所望の数量だけ購入し、運搬し、そして保管することを可能とする。消費者に都合のよいように、あるカートンはディスペンサーを有し、これは、一度に一つだけ物品を取り出すことを可能とする一方で、残りの物品については保持し続ける。カートンの一部が開口部を形成するためにちぎり取られ、物品はこの開口部から取り出し可能となる。通常、カートン内には、あるものが他のものの上に載った状態となった複数列の物品が存在する。最端の物品をディスペンサーを経てカートンから取り出すと、他の物品は前方に移動してくる。
【０００３】
あるものが他のものと並んだ状態となった複数段の物品用のより大型カートンも存在するが、各段は、あるものが他のものの上に載った状態となった複数列の物品を有する。この大型カートンは、通常、２段積みカートンと呼ばれる。
【発明の開示】
【発明が解決しようとする課題】
【０００４】
利用可能な、さまざまなタイプのカートンが存在するが、大部分のタイプのカートンに簡単に組み込むことが可能であると同時に、大部分のタイプの物品を簡単に配給可能とする簡単なディスペンサー構造は存在しない。したがって、多くのタイプのカートン内の最端の物品を簡単に手に取ることができるようにする改良型ディスペンサーが求められている。この改良型ディスペンサーは、２段積みカートンと共に使用するのに適応できなければならない。
【課題を解決するための手段】
【０００５】
本発明は、無端引裂き線によって形成された改良型物品ディスペンサーを備えたカートンを提供するものであり、この物品ディスペンサーは、さまざまなタイプのカートン内の物品を簡単に手に取ることができるようにする。
【０００６】
この改良型の物品ディスペンサーは、たとえば細長いボトルのような、さまざまなタイプの物品を配給するのに使用可能である。また、この改良型物品ディスペンサーは２段積みカートンと共に使用するのに適応できる。
【０００７】
概して言うと、複数のパネルは、複数の物品を集積するための筒状体を形成するよう一つに連結される。一対の端部閉塞構造体は、少なくとも部分的に筒状構造体の両端を閉塞して、カートンを形成する。物品ディスペンサーは、無端引裂き線から形成された除去可能部分によってカートンに設けられる。無端引裂き線は複数の部分から形成される。カートンの上面壁に形成されたその第１の部分は、この上面壁の端縁部と側縁部との間で延在する。側壁の一方に形成されたその第２の部分は、上面壁の側縁部から側壁の端縁部まで延在する。端部閉塞構造体の一方に形成されたその第３の部分は、上面壁の端縁部と側壁の端縁部との間で延在する。
【０００８】
本発明のある態様によれば、第１の物品ディスペンサーと並んで配置された第２の除去可能部分によって、第２の物品ディスペンサーを設けることができる。この第２の除去可能部分は、カートンの第２の無端引裂き線によって形成される。本発明に係る第１および第２の物品ディスペンサーは、２段積み(double stack)カートンにとって特に有用である。
【０００９】
上記事項は、より関係がある本発明の態様および特徴のいくつかを大まかに述べたものである。これらは、本発明のより顕著な特徴および用途のうちのいくつかのものの単なる例証であると解釈すべきである。他の有益な成果は、開示された情報を別な様式で実施することによって、あるいは開示された実施形態を改変することによって実現できる。したがって、他の様態ならびに本発明のさらに包括的な理解は、請求項によって規定される本発明の範囲に加えて、図面に関連した代表的実施形態の詳細な説明を参照することによって得られるであろう。
【発明を実施するための最良の形態】
【００１０】
ここで図面を参照すると本発明のカートン１０(図１)、１２(図７)および１４(図１２)の代表的実施形態が図示されているが、同じ数字は各図を通して同じ構成要素を指し示している。ある実施形態においては、カートン１０,１２および１４は、たとえば飲料缶あるいはボトルのような物品を配給するためのものである。
【００１１】
概して言うと、カートン１０,１２および１４は、ボール紙のような折り曲げ可能なシート材から形成される。カートン１０(図１に示す)は図２に示すボール紙製ブランク１６から形成される。ブランク１６は、カートン１０を形成するための少なくとも４枚の主パネルを備える。ブランク１６に関するこのパネルは、底面壁１８、第１の側壁２０、第２の側壁２２、そして上面壁２４である。第１の側壁２０は折曲げ線２６によって分割されて部分２０ａおよび部分２０ｂを形成している。第２の側壁２２は折曲げ線２８によって分割されて部分２２ａおよび部分２２ｂを形成している。側壁２０および２２はそれぞれ折曲げ線２６および２８を有し、これによって側壁２０および２２は、図１に示すように、カートン１０を組み立てるために単に僅かに折り込むことが可能である。
【００１２】
図２に示すように、ブランク１６のパネルは、折曲げ線３０,３２および３４に沿って一列に互いに折り曲げ可能に連結されている。底面壁１８は折曲げ線３０を介して第１の側壁２０に折り曲げ可能に連結されている。次に第１の側壁２０は折曲げ線３２を介して上面壁２４に折り曲げ可能に連結されている。次に第２の側壁２２は折曲げ線３４を介して上面壁２４に折り曲げ可能に連結されている。
【００１３】
好ましくは、上面壁２４の幅は、図２に示すように底面壁１８の幅よりも小さなものである。上面壁２４は底面壁１８よりも幅狭であるので、組み立てられたカートン１０は、この組み立てられたカートン１０の端面図(図５)に最もよく示されているように、側壁２０,２２に関して、折曲げ線２６,２８の上が、ある程度テーパー状のものとなっている。
【００１４】
パネル１８,２０,２２および２４は、横方向折曲げ線３６および３８に沿って、それぞれのパネルに対して折り曲げ可能に連結された対向する端部フラップを備える。折曲げ線２６および２８は、それぞれブランク１６の全幅にわたって延在している。だが、折曲げ線３６および３８は、好ましくは、ブランク１６の長さに沿って、途中ずっと真っ直ぐには延在しない。図２に示すように、第１の側壁２０の一方の端縁部を形成している折曲げ線３６の一部は部分３６ａおよび３６ｂを含み、一方、第１の側壁２０の他方の端縁部を形成している折曲げ線３８の一部は部分３８ａおよび３８ｂを含む。部分３６ａおよび３６ｂは、第１の側壁２０の部分２０ａの対向する端縁部を部分的に形成する。部分３６ｂおよび３８ｂは、第１の側壁２０の部分２０ｂの対向する端縁部を部分的に形成する。第２の側壁２２の一方の端縁部を形成している折曲げ線３６の一部は部分３６ｃおよび３６ｄを含み、かつ第２の側壁２２の他方の端縁部を形成している折曲げ線３８の一部は部分３８ｃおよび３８ｄを含む。部分３６ｃおよび３８ｃは、第２の側壁２２の部分２２ａの対向する端縁部を形成する。部分３６ｄおよび３８ｄは、第２の側壁２２の部分２２ｂの対向する端縁部を部分的に形成する。
【００１５】
底面壁１８は対向する底面端部フラップ５２および５４を備え、かつ上面壁２４は対向する上面端部フラップ５６および５８を備える。第１の側壁２０は、対向する側方端部フラップ６０および６２を備える。第２の側壁２２は、対向する側方端部フラップ６４および６６を備える。端部フラップ５２,５６,６０および６４は横断折曲げ線３６から外側に延在している。端部フラップ５４,５８,６２および６６は横断折曲げ線３８から外側に延在している。
【００１６】
依然として図２を参照すると、第１および第２の側壁２０,２２の端部フラップ６０,６２,６４,６６は付加的な折曲げ線を含み、これは横断折曲げ線３６および３８と協働し、組み立ての際にカートン１０の垂直コーナー縁部を切り取る。折曲げ線の部分４０ａは側方端部フラップの部分６０ａに形成されており、しかもそれは折曲げ線の部分３６ａの一端から第１の切欠き４１まで延在する。折曲げ線の部分４０ｂは折曲げ線３２から側方端部フラップの部分６０ｂを横切って延在し、そして第１の切欠き４１において終端をなしている。第１の切欠き４１は側方端部フラップの部分６０ｂに折曲げ線２６を遮るよう形成されており、しかも折曲げ線の部分４０ａおよび４０ｂを分離させるよう、この部分４０ａおよび４０ｂ間に配置されている。折曲げ線の部分４２ａは側方端部フラップの部分６２ａに形成されており、しかも折曲げ線の部分３８ａの一端部から第２の切欠き４３まで延在している。折曲げ線の部分４２ｂは折曲げ線３２から側方端部フラップの部分６２ｂを横切って延在し、そして第２の切欠き４３において終端をなしている。第２の切欠き４３は側方端部フラップの部分６２ｂに折曲げ線２６を遮るよう形成されており、しかも折曲げ線の部分４２ａおよび４２ｂを分離させるよう、これら部分４２ａおよび４２ｂ間に配置されている。
【００１７】
側方端部フラップ６４に関しては、折曲げ線の部分４０ｃは折曲げ線３４から側方端部フラップの部分６４ａを横切って延在し、第３の切欠き４５において終端をなしている。折曲げ線の部分４０ｄは側方端部フラップ壁の部分６４ｂに形成されており、しかもそれは第３の切欠き４５から折曲げ線の部分３６ｄの端部まで延在している。第３の切欠き４５が折曲げ線２８を遮るよう側方端部フラップの部分６４ａに形成されており、しかもそれは折曲げ線の部分４０ｃおよび４０ｄを分離するよう、これら部分４０ｃおよび４０ｄの間に配置されている。折曲げ線の部分４２ｃは折曲げ線３４から側方端部フラップの部分６６ａを横切って延在し、そして第４の切欠き４７において終端をなしている。折曲げ線の部分４２ｄは側方端部フラップの部分６６ｂに形成されており、しかも第４の切欠き４７から折曲げ線の部分３８ｄの端部まで延在している。第４の切欠き４７が折曲げ線２８を遮るよう側方端部フラップの部分６６ａに形成されており、しかもそれは折曲げ線の部分４２ｃおよび４２ｄを分離するよう、これら部分４２ｃおよび４２ｄの間に配置されている。折曲げ線の部分４０ａ〜４０ｄは互いにつながっておらず、そして折曲げ線の部分４２ａ〜４２ｄもまた互いにつながっていない。
【００１８】
第１の長尺なウエブパネル７２が、上面端部フラップ５６と側方端部フラップ６０との間に延在している。第２の長尺なウエブパネル７４が、上面端部フラップ５６と側方端部フラップ６４との間に延在している。第３の長尺なウエブパネル７６が、上面端部フラップ５８と側方端部フラップ６２との間に延在している。第４の長尺なウエブパネル７８が、上面端部フラップ５８と側方端部フラップ６６との間に延在している。
【００１９】
カートン１０を組み立てるには、底面パネル１８を縁部フラップ８０(折曲げ線８２によって第２の側壁２２に折り曲げ可能に連結されている)によって側壁２２に対して接着するか、あるいは別の方法で固定して、図３に示すような端部が開放された筒状カートン１０を形成する。折曲げ線３０,３２,３４および８２は、カートン１０の側縁部を形成している。横断折曲げ線３６および３８はカートン１０の端縁部を形成している。物品をひとかたまりにし、カートン１０の開放端部から装填した後、端部フラップを折り込み、一つに固定することで、図４および図５に示すような対向する端部閉塞構造体が形成される。さらに詳しく言うと、側方端部フラップ６０および６４を、側方端部フラップ６０が側方端部フラップ６４に向かって延在するよう折曲げ線３６および４０に沿って内側に折り曲げる。側方端部フラップ６２および６６は、側方端部フラップ６２が側方端部フラップ６６に向かって延在するよう折曲げ線３８および４２に沿って内側に折り曲げる。上面端部フラップ５６,５８は、端部フラップ６０,６４および６２,６６の上に位置するよう折曲げ線３６,３８に沿って下方に折り曲げる。底面端部フラップ５２,５４は折曲げ線３６,３８に沿って上方に折り曲げ、そして端部フラップ５６,５８の外面にそれぞれ固定する。
【００２０】
図示のカートンは、一群の同じような寸法の円筒形物品、たとえばボトルを保持するよう構成されている。カートン１０内の物品は、好ましくは、その側面を下にして水平に配置されるのではなく、平行に並んだ様式でかつ直立した状態で配置される。第１および第２の側壁２０,２２は物品の側面の近傍に配置され、一方、物品の底面はカートン１０の底壁１８の上に着座する。
【００２１】
図１から最もよく分かるように、本発明に係るカートン１０は、無端引裂き線８８ａ〜８８ｄによって形成された除去可能部分８６を含む。この除去可能部分８６の垂直方向寸法は、好ましくは、カートンの垂直方向寸法の半分以上である。言い換えれば、除去可能部分８６が除去されてカートン１０に形成される開口部は、好ましくは、カートン１０の高さの少なくとも半分の垂直方向長さを有するが、カートン１０の高さよりは小さなものである。図２のブランク１６が、無端引裂き線８８ａ〜８８ｄを最もよく表している。無端引裂き線８８ａ〜８８ｄは連続したものであり、線部分８８ｃ,８８ａ,８８ｂおよび８８ｄは、あるものが次のものにつながって、ブランク１６に単一の連続した引裂き線を形成しており、しかも部分８８ｃは延在して、カートン１０が組み立てられた際に部分８８ｄの自由／遠位端部に達する。無端引裂き線８８ａ〜８８ｄは、破断線、あるいは引裂き線８８の長さに沿った分離を容易にする他の低強度化された線であってもよい。引裂き線としては、ミシン目、短いスリットからなる線、半切断線(a line of half cut)、スリットおよび刻線の組み合わせ、あるいは同等のもの(ただしこれらに限定されない)が挙げられる。
【００２２】
無端引裂き線８８ａ〜８８ｄの第１の部分８８ａは上面壁２４に形成され、かつ折曲げ線３８および３２にそれぞれ対応する、上面壁２４の端縁部と上面壁２４の側縁部との間で延在している。第２の部分８８ｂは側壁２０に形成され、第１の部分８８ａとつながっている。図３および図４に最もよく示されているように、部分８８ｂは上面壁２４の側縁部(３２)から側壁２０の端縁部(３８)まで延在している。第３の部分(これは小部分(sub-portion)８８ｃおよび８８ｄを含む)は、カートン１０の端部閉塞構造体の一方に形成されており、しかも上面壁２４の端縁部(３８)と側壁２０の端縁部(３８)との間で延在している。
【００２３】
図５に最もよく示されているように、小部分８８ｃは、横断折曲げ線３８によって形成される上面壁２４の端縁部と、上面端部フラップ５８の側縁部との間で延在している。小部分８８ｄは、端部フラップ６２の遠位端部から延在し、第２の切欠き４３と一つになり、すなわちそれによって中断され、この切欠き４３を起点として、さらに折曲げ線３８まで延在している。小部分８８ｃおよび８８ｄは互いに組み合わされ、つまりある程度オーバーラップし、カートン１０の一方の端部閉塞構造体に無端引裂き線８８ａ〜８８ｄの第３の部分を形成している。カートン１０が組み立てられ、そして端部フラップ５４および５８が折り曲げられ、互いに固定された際、無端引裂き線の部分８８ａ,８８ｂ,８８ｃおよび８８ｄは、互いに協働して、除去可能部分８６の周辺部を形成する。
【００２４】
カートン１０の上面壁２４はまた引裂き起点タブ９０を含んでいてもよく、これは図６に示すような無端引裂き線８８ａ〜８８ｄに沿った引裂き、およびカートン１０からの除去可能部分８６の分離を容易にする。引裂き起点タブ９０の遠位端部は無端引裂き線の部分８８ａの一部に対応し、しかも引裂き起点タブ９０の対向する近位端部４９は上面壁２４に対して分離可能に結合されている。タブ９０は、その対向する側縁部５０,５１に沿って、上面壁２４に対して折り曲げ可能に連結されている。タブ９０は、たとえばミシン目のような中央分割線９１によって形成され、これはタブ９０を横切って遠位端部と近位端部との間で延在している。引裂き起点タブ９０は、中央分割線９１を破断しかつ上記遠位端部および近位端部に沿って上面壁２４からタブ９０を分離させるために押し込むことが可能である。破断したタブ９０は上面壁２４に開口部を形成し、ユーザーは、カートン１０から除去可能部分８６を分離させるために、この中に自分の指を挿入することが可能となる。
【００２５】
図７〜図１１には、ブランク１１０から形成された代替実施形態に係るカートン１２を示す。ブランク１１０は図８に示すごとく構成され、かつカートン１２を形成するための５枚の主パネルを含む。ブランク１１０のこれらパネルは、第１の底面壁パネル１１６、第２の底面壁パネル１１８、第１の側壁１２０、第２の側壁１２２、そして上面壁１２４である。
【００２６】
図８に示すように、ブランク１１０のパネルは、折曲げ線１３０,１３２,１３４および１３６に沿って互いに一列に折り曲げ可能に連結されている。第１の底面壁パネル１１６は折曲げ線１３０を介して第１の側壁１２０に折り曲げ可能に連結されている。次に第１の側壁パネル１２０は折曲げ線１３２を介して上面壁１２４に折り曲げ可能に連結されている。次に第２の側壁１２２は折曲げ線１３４を介して上面壁１２４に折り曲げ可能に連結されている。第２の底面壁パネル１１８は折曲げ線１３６を介して第２の側壁１２２に折り曲げ可能に連結されている。
【００２７】
パネル１１６,１１８,１２０,１２２および１２４のそれぞれは、横断折曲げ線１４０および１４２に沿って、それに対して折り曲げ可能に連結された対向する端部フラップを備える。折曲げ線１４０および１４２のそれぞれは、ブランク１１０の全長にわたって延在している。第１の底面壁パネル１１６は、対向する底面端部フラップの部分１４４および１４６を有する。第２の底面壁パネル１１８は、対向する底面端部フラップの部分１４８および１５０を有する。上面壁１２４は、対向する上面端部フラップ１５２および１５４を有する。第１の側壁１２０は、対向する側方端部フラップ１５６および１５８を有する。第２の側壁１２２は、対向する側方端部フラップ１６０および１６２を有する。
【００２８】
カートン１２を組み立てるために、第１の底面壁パネル１１６および第２の底面壁パネル１１８は、筒状構造体を形成するよう一つに接着するか、別の方法で固定する。この構造体においては、第１および第２の底面壁パネル１１６および１１８がカートン１２の底面壁１１６／１１８をもたらし、底面端部フラップの部分１４４および１４８が底面端部フラップ１４４／１４８を提供し、そして底面端部フラップの部分１４６および１５０が他の底面端部フラップ１４６／１５０を提供する。折曲げ線１３０,１３２,１３４および１３６がカートン１２の側縁部を形成する。横断折曲げ線１４０および１４２がカートン１２の端縁部を形成する。物品をひとかたまりにし、カートン１２の開放端部から装填した後、上記端部フラップを折り曲げて一つに固定し、カートン１２を閉塞するための対向する端部閉塞構造体を形成する。さらに詳しく言うと、上面端部フラップ１５２および１５４ならびに底面端部フラップ１４４／１４８および１４６／１５０は、折曲げ線１４０,１４２に沿って内側に折り曲げ、これによって上面端部フラップ１５２および１５４を、底面端部フラップ１４４／１４８および１４６／１５０のそれぞれに向って下方に延在させる。側方端部フラップ１６０および１６２は、折曲げ線１４０,１４２に沿って内側に折り曲げ、上面および底面フラップ１５２,１４４／１４８および１５４,１４６／１５０のそれぞれの上に配置する。側方端部フラップ１５６および１５８は、折曲げ線１４０,１４２に沿って内側に折り曲げ、そして側方端部フラップ１６０,１６２の外面にそれぞれ固定する。
【００２９】
カートン１２は、たとえばＰＥＴボトルのような、同じ寸法の一群の円筒形物品を、複数の垂直に配置された列(図９〜図１１では２列)で保持するよう構成されている。各列の物品は、側面を下にして平行に並んだ状態で配置される。側壁１２０および１２２は、群の中の物品の端部に隣接するよう配置され、一方、カートンの各端部閉塞構造体は、最端の物品それぞれの側壁に隣接して配置される。
【００３０】
図７に示すように、本発明のカートン１２は、無端引裂き線１８８ａ〜１８８ｄによって形成された除去可能部分１８６を含む。図８のブランク１１０が無端引裂き線１８８ａ〜１８８ｄを最もよく描写している。無端引裂き線１８８ａ〜１８８ｄは連続したものであり、引裂き線の部分１８８ｃ,１８８ａ,１８８ｂおよび１８８ｄは、あるものが次のものにつながって、ブランク１１０に単一の連続した引裂き線を形成しており、しかもカートン１２を組み立てた際、側方端部フラップ１５８内の部分１８８ｅは、部分１８８ｃの自由端部と部分１８８ｄの自由端部とを相互連結する。無端引裂き線１８８ａ〜１８８ｄは、破断線、あるいは引裂き線１８８ａ〜１８８ｄの長さに沿った分離を容易なものとする他の低強度化された線であってもよい。引裂き線としては、ミシン目、短いスリットからなる線、スリットと刻線の組み合わせ、あるいは同等のものが考えられる(ただしこれらに限定されない)。
【００３１】
無端引裂き線１８８ａ〜１８８ｄの第１の部分１８８ａは上面壁１２４に形成され、かつ上面壁１２４の端縁部(折曲げ線１４２によって形成される)と上面壁１２４の側縁部(折曲げ線１３４によって形成される)との間で延在する。第２の部分１８８ｂは一方の側壁１２２に形成される。図８に最もよく示されているように、部分１８８ｂは上面壁１２４の側縁部(折曲げ線１３４によって形成される)から、側壁１２２の端縁部(折曲げ線１４２によって形成される)まで延在している。第３の部分(三つの小部分１８８ｃ,１８８ｄおよび１８８ｅを含む)は、部分１８８ａ,１８８ｂに隣接する端部閉塞構造体の一方に形成されている。
【００３２】
図８に最もよく示されているように、小部分１８８ｃは上面壁１２４の端部フラップ１５４に形成されている。小部分１８８ｃは横断折曲げ線１４２から上面端部フラップ１５４の遠位端部まで延在している。小部分１８８ｄは側壁１２２の端部フラップ１６２に形成されている。小部分１８８ｄは横断折曲げ線１４２から側方端部フラップ１６２の遠位端部まで延在している。小部分１８８ｅは側壁１２０の端部フラップ１５８に形成されている。小部分１８８ｅはＬ形状を有し、しかも側方端部フラップ１５８の側方／上側縁部１７０から、側方端部フラップ１５８の遠位端部まで延在している。
【００３３】
カートン１２が組み立てられ、そして端部フラップ１５４,１５８および１６２が互いに固定されたとき、小部分１８８ｃは実質的に垂直に配置され、そして小部分１８８ｄは実質的に水平に配置される。Ｌ形の小部分１８８ｅは、小部分１８８ｅの上側垂直アームセクションが小部分１８８ｃと整列すると共に、小部分１８８ｅの下側水平セクションが小部分１８８ｄと整列するように、小部分１８８ｃと小部分１８８ｄとを相互連結する。無端引裂き線の部分１８８ａ,１８８ｂ,１８８ｃ,１８８ｄおよび１８８ｅは互いに協働し、組み立てられたカートン１２に、除去可能部分１８６の周辺部を形成する。図９には、物品を配給するためにカートン１２から部分的に除去された除去可能部分１８６を示す。除去可能部分１８６は、図１０および図１１に示すように、カートン１２から完全に除去されてもよい。
【００３４】
カートン１２の上面壁１２４はまた、無端引裂き線１８８ａ〜１８８ｅに沿った引裂き、ならびにカートン１２からの除去可能部分１８６の分離を容易なものとするための引裂き起点タブ１９０を備えていてもよい。引裂き起点タブ１９０の遠位端部は、無端引裂き線の部分１８８ａの一部分に一致し、しかも引裂き起点１９０の近位端部は、弓形折曲げ線１９１に沿って上面壁１２４に折り曲げ可能に連結されている。引裂き起点タブ１９０は、除去可能部分１８６の、カートン１２からの分離を開始するために、押し込むかあるいは引き出すことが可能である。
【００３５】
図１２〜図１６には本発明の他の代替実施形態に係るカートン１４を示す。このカートン１４は、図１２に示すように、図１３に示すごとく構成されたブランク２１０から形成される。ブランク２１０の５枚の主要なパネルは、底面壁２１８、左側壁２２０、上面壁２２４、第１の右側壁パネル２２６および第２の右側壁２２８である。
【００３６】
図１３に示すように、ブランク２１０のパネルは、折曲げ線２３０,２３２,２３４および２３６に沿って互いに一列に折り曲げ可能に連結されている。底面壁２１８は折曲げ線２３２を介して左側壁２２０に折り曲げ可能に連結されている。次に、左側壁２２０は折曲げ線２３４を介して上面壁２２４に連結されている。次に、第１の右側壁パネル２２６は折曲げ線２３６を介して上面壁２２４に折り曲げ可能に連結されている。第２の右側壁パネル２２８は折曲げ線２３０を介して底面壁２１８に折り曲げ可能に連結されている。
【００３７】
パネル２１８,２２０,２２４,２２６および２２８のそれぞれは、横断折曲げ線２４０および２４２を介して、それに折り曲げ可能に連結された対向する端部フラップを備える。折曲げ線２４０および２４２は、それぞれブランク２１０の全長にわたって延在している。底面壁２１８は、対向する端部フラップ２４４および２４６を有する。上面壁２２４は、対向する上面端部フラップ２５２および２５４を有する。左側壁２２０は、対向する側方端部フラップ２５６および２５８を有する。第１の右側壁パネル２２６は、対向する側方端部フラップの部分２６０および２６２を有する。第２の右側壁パネル２２８は、対向する側方端部フラップの部分２６４および２６６を有する。
【００３８】
カートン１４を組み立てるために、第１の右側壁パネル２２６および第２の右側壁パネル２２８は、その外側縁部に沿って互いに接着するかその他の方法で固定し、筒状体を形成する。この筒状体において、第１および第２の右側パネル２２６および２２８は垂直右側壁２２６／２２８をもたらし、側方端部フラップの部分２６０および２６４は側方端部フラップ２６０／２６４をもたらし、そして側方端部フラップの部分２６２および２６６は他の側方端部フラップ２６２／２６６をもたらす。第２の右側壁パネル２２８に折り曲げ可能に連結されたハンドル補強パネル２６８は、折曲げ線２７０に沿って下方に折り曲げ、第２の右側壁パネル２２８の内面と面接触状態とする。折曲げ線２３０,２３２,２３４および２３６はカートン１４の側縁部を形成する。横断折曲げ線２４０および２４２はカートン１４の端縁部を形成する。物品をひとかたまりにし、筒状構造体の一方または両方の開口端部から装填した後、カートン１４を密閉するために、端部フラップを内側に折り曲げ、対向する端部閉塞構造体が形成されるよう、それを一つに固定する。さらに詳しく言うと、上面端部フラップ２５２,２５４および底面端部フラップ２４４,２４６を折曲げ線２４０,２４２に沿って内側に折り曲げ、これによって上面端部フラップ２５２および２５４を、それぞれ底面端部フラップ２４４および２４６に向けて下方に延在させる。側方端部フラップ２５６,２５８は、折曲げ線２４０,２４２に沿って内側に折り曲げ、そして、それぞれ上面および底面フラップ２５２,２４４および２５４,２４６の外面に固定する。側方端部フラップ２６０／２６４および２６２／２６６は、折曲げ線２４０,２４２に沿って内側に折り曲げ、そして、それぞれ上面および底面フラップ２５２,２４４および２５４,２４６の外面に固定する。
【００３９】
ある実施形態では、カートン１４は図１２に示すように２段積みカートンである。このカートンは、たとえば缶のような同じ寸法の円筒形物品からなる二つの層を収容している。この二つの層は、間に配置された仕切りパネル２７２(図１６)を用いて、並んで配置されている。各層は３列４個の物品それぞれを含む。各層における三つの列は、ある列が他の列の上に載った状態となって垂直方向に配置され、それぞれの層を形成している。各列内の四つの物品は、平行に並んだ状態で、その側面を下にして配置されている。仕切りパネル２７２は、カートン１４の内部において上面壁２２４と底面壁２１８との間に延在しており、そして二つの隣り合った物品の層間に配置されている。仕切りパネル２７２の一方側の一つの層内の物品は、仕切りパネル２７２の逆側の他の層内の物品と、端と端とが接するような関係にある。左側壁２２０は一方の層の物品の端部に隣接して配置され、そして右側壁２２６／２２８は他方の層の物品の端部に隣接して配置される。カートン１４の各端部閉塞構造体は、それぞれの最端の物品の側壁に隣接して配置される。
【００４０】
図１２に示すように、本発明に係るカートン１４は、第１の除去可能部分２８２および第２の除去可能部分２８４を含む。二つの配給開口部が第１および第２の除去可能部分２８２および２８４を分離させることによってそれぞれ形成され、これによってカートン１４の端部から両方の層の物品を取り出すことが可能となる。第１の除去可能部分２８２は仕切りパネル２７２の一方側の一方の層の物品用の配給開口部を提供し、これに対して、第２の除去可能部分２８４は仕切りパネル２７２の他方側の他方の層の物品用の配給開口部を提供する。
【００４１】
除去可能部分２８２および２８４のそれぞれは引裂き線によって形成される。図１３のブランク２１０は、二つの引裂き線、すなわち引裂き線２８６ａ〜２８６ｄおよび引裂き線２８８ａ〜２８８ｄを最もよく示しており、これは除去可能部分２８２および除去可能部分２８４にそれぞれ対応する。カートン１４を組み立てるとき、除去可能部分２８２および除去可能部分２８４は、引裂き線２８６ａ〜２８６ｄおよび２８８ａ〜２８８ｄの共通部分に沿って相互連結される。すなわち両者は互いに接するようになる。引裂き線２８６ａ〜２８６ｄおよび２８８ａ〜２８８ｄのそれぞれは、ミシン目、短いスリットからなる線、半切断線、スリットと刻線の組み合わせ、あるいはその長さに沿った破断を容易なものとする同等の線とすることができる。
【００４２】
引裂き線２８６ａ〜２８６ｄの第１の部分２８６ａは上面壁２２４に形成され、そしてそれは、折曲げ線２４２によって形成された、上面壁２２４の端縁部と、折曲げ線２３６によって形成された、上面壁２２４の側縁部との間で延在する。第２の部分２８６ｂが右側壁２２６に形成される。この部分２８６ｂは、折曲げ線２３６によって形成された、上面壁２２４の側縁部から、折曲げ線２４２によって形成された、側壁２２６の端縁部まで延在する。引裂き線２８６ａ〜２８６ｄの第３の部分は、カートン１４の端部閉塞構造体の一方に形成された小部分２８６ｃおよび２８６ｄを含む。
【００４３】
図１３に最もよく示されているように、小部分２８６ｃは、上面壁２２４の上面端部フラップ２５４に形成されている。小部分２８６ｃは、折曲げ線２４２から上面端部フラップ２５４の遠位すなわち下側端部まで延在している。小部分２８６ｄは、第１の右側壁パネル２２６の側方端部フラップの部分２６２に形成されている。小部分２８６ｄは、折曲げ線２４２から側方端部フラップの部分２６２の遠位端部まで延在している。カートンを組み立てるとき、小部分２８６ｃの下側端部は、小部分２８６ｄの遠位端部に隣接して(ただし間隔を置いて)位置するが、小部分２８６ｄの遠位端部は、カートンのそれぞれの端部から見たとき、上面端部フラップ２５４の下側縁部からオフセットしている(図１２参照)。だが、上面および底面端部フラップ２４６,２５４の遠位端部間の間隙は、図１２に最もよく示されているように、実質的に小部分２８６ｃおよび小部分２８６ｄを相互連結する。
【００４４】
さらに図１３を参照すると、引裂き線２８８ａ〜２８８ｄの第１の部分２９８ａが上面壁２２４に形成されており、しかもそれは、折曲げ線２４２によって形成された、上面壁２２４の端縁部と、折曲げ線２３４によって形成された、上面壁２２４の側縁部との間で延在する。第２の部分２８８ｂが左側壁２２０に形成されている。この部分２８８ｂは、折曲げ線２３４によって形成された、上面壁２２４の側縁部から、折曲げ線２４２によって形成された、側壁２２０の端縁部まで延在している。引裂き線２８８ａ〜２８８ｄの第３の部分は、カートン１４の他方の端部閉塞構造体に形成された小部分２８８ｃおよび２８８ｄを含む。小部分２８８ｃは上面端部フラップ２５４に形成されており、一方、小部分２８８では側方端部フラップ２５８に形成されている。部分２８８ｃは、折曲げ線２４２から端部フラップ２５４の遠位すなわち下側端部まで延在する。除去可能部分２８２および２８４が互いに隣接しているので、引裂き線の部分２８８ｃと、引裂き線の部分２８８ａの一部とは、引裂き線の部分２８６ｃ、および引裂き線の部分２８６ａの一部と一致し、すなわち整列状態となる。２本の引裂き線のこれら重なり合う部分は、横断折曲げ線２４２から垂直に延在し、そして共通引裂き線部分を形成する。
【００４５】
小部分２８８ｄは、折曲げ線２４２から側方端部フラップ２５８の遠位端部まで延在する。カートンを組み立てる際、小部分２８８ｃの下側端部は、小部分２８８ｄの遠位端部に隣接して(ただし間隔を置いて)配置されるが、この小部分２８８ｄは、カートンの個々の端部から見たとき、上面端部フラップ２５４の下側縁部からオフセットしている(図１２参照)。だが、上面および底面端部フラップ２４６,２５４の遠位端部間の間隙は、実質的に、図１２に最もよく示されているように、小部分２８８ｃおよび小部分２８８ｄを実質的に相互連結する。
【００４６】
引裂き線の部分２８６ａ,２８６ｂ,２８６ｃおよび２８６ｄは互いに協働し、組み立てられたカートン１４における除去可能部分２８４の周囲部分を形成する。引裂き線の部分２８８ａ,２８８ｂ,２８８ｃおよび２８８ｄは互いに協働し、組み立てられたカートン１４における除去可能部分２８２の周囲部分を形成する。図１４は、物品を配給するために、カートン１４から部分的に除去された除去可能部分２８４を示している。除去可能部分２８４は、図１５および図１６に示すように、カートン１４から完全に除去されてもよい。図１６はまた、カートン１４から完全に除去された除去可能部分２８２を示している。
【００４７】
カートン１４の上面壁２２４は、引裂き線２８８ａ〜２８８ｄおよび２８６ａ〜２８６ｄそれぞれの一部分に沿った引裂きを容易なものとするための一対の引裂き起点タブ２９０および２９２をさらに含んでいてもよい。引裂き起点タブ２９０の遠位端部は引裂き線の部分２８８ａの一部分と一致し、しかも引裂き起点２９０の近位端部は除去可能部分２８２に折り曲げ可能に連結されている。引裂き起点タブ２９２の遠位端部は引裂き線の部分２８６ａの一部分と一致し、しかも引裂き起点２９２の近位端部は除去可能部分２８４に折り曲げ可能に連結されている。引裂き起点タブ２９０,２９２は、カートン１４からの除去可能部分２８２,２８４の分離を開始するために押し込まれるか、あるいは引っ張り出されることになる。
【００４８】
図１７〜図１９には、本発明に係るカートン１５の他の代替実施形態を示す。この実施形態において、カートン１５は、図１８に示すブランク３１０から形成された２段積みカートンである。ブランク３１０の５枚の主要なパネルは、上述した、カートン１４を形成するためのブランク２１０に類似している。それゆえ、同じ部分は同じ参照数字によって指し示す。カートン１５は、以下で説明するように、端部フラップ２５４を変更している点でカートン１４と異なる。
【００４９】
図１７に示すように、本発明のカートン１５も第１の除去可能部分２８２および第２の除去可能部分２８４を具備してなる。だが、これら除去可能部分２８２および２８４はそれぞれ無端引裂き線によって形成されている。これは、引裂き線２８６ａ〜ｄおよび２８８ａ〜ｄのそれぞれが連続したものとなることを可能とするよう、引裂き線２８６ａ〜ｄおよび２８８ａ〜ｄのそれぞれの第３の部分が変更されていることによる。ブランク３１０の小部分２８６ｃ,２８８ｃは、ブランク２１０の小部分２８６ｃ,２８８ｃから区別できる。特に、ブランク３１０の小部分２８６ｃ,２８８ｃのそれぞれは、図１８に示すように実質的にＬ形のものである。小部分２８８ｃは、小部分２８６ｃに対して水平方向にはね出していると言うことが可能である。
【００５０】
さらに図１７を参照すると、横断折曲げ線２４２に直交するよう延在する引裂き線の部分２８６ａおよび２８８ａの一部は、共有引裂き線の部分の一部を形成している。横断折曲げ線２４２に直交するよう延在するブランク３１０の引裂き線の小部分２８６ｃおよび２８８ｃの一部は、共有引裂き線の部分の他の一部を形成している。言い換えれば、Ｌ形の引裂き線の小部分２８６ｃおよび２８８ｃのそれぞれの上側垂直アーム部分のみが、共有引裂き線の部分の他の一部を形成している。なぜなら、小部分２８６ｃ,２８８ｃは上面端部フラップ２５４を完全に横切っては延在していないからである。上面端部フラップ２５４の下側遠位端部は、カートン１５の端部から見たとき、小部分２８６ｄ,２８８ｄからオフセットしている。
【００５１】
やはり、図１８に最もよく示されているように、小部分２８６ｃおよび２８８ｃの下側水平アーム部分は協働で単一の水平引裂き線を形成するが、この水平引裂き線は、端部フラップ２５４の遠位すなわち下側端部から位置がずれている。この水平引裂き線は、上面端部フラップ２５４の対向する側縁部において終端をなしている。図１９に最もよく示されているように、水平引裂き線の下方の端部フラップ２５４の遠位部分は、除去可能部分２８４がカートン１５から完全に除去された後でも、カートン１５にくっ付いたままである。端部フラップ２５４のこの遠位部分は、折り曲げられた端部フラップ２５８,２６２の背後で図１９では一部が隠れているが、除去可能部分２８２の除去後であっても、カートン１５にくっ付いたままである。
【００５２】
図１７に最もよく示されているように、小部分２８６ｃおよび２８８ｃの下側水平アーム部分は、カートンが組み上がったとき、小部分２８６ｄ,２８８ｄのそれぞれと整列し、かつそれらとつながる。さらに、単一の水平引裂き線を形成する小部分２８６ｃおよび２８８ｃの下側水平アーム部分は、カートン１５が組み上がったとき、小部分２８６ｄおよび２８８ｄを相互連結する。
【００５３】
上述した第３実施形態において、小部分２８６ｄおよび２８８ｄの遠位端部は、カートンの個々の端部から見たとき、上面端部フラップ２５４の下側縁部からオフセットしている(図１２参照)。だが、小部分２８６ｄおよび２８８ｄまたは上面端部パネル２５４の下側縁部のいずれかの高さは、図１２のカートンの変更形態を示す図２０に示すように、小部分２８６ｄおよび２８８ｄが上面端部フラップ２５４の下側縁部と整列するように調整可能である。
【００５４】
本明細書で用いた方向に関する言及、たとえば「上面」、「底面」、「上側」、「下側」、「右側」、「左側」、「端」および「側方」は、それぞれの壁またはパネルをそうした向きに限定するものではなく、単にこれらパネルを互いに区別するものに過ぎないことを理解されたい。折曲げ式連結部に対する言及が、必ず単一の折曲げ線のみを指していると解釈すべきではない。実際、折曲げ式連結部は、本発明の範囲から逸脱することなく、ミシン目、刻線、破断可能な線あるいは折曲げ線の一つ以上から形成できることは明白である。
【００５５】
本発明を特定の実施形態に関連して説明してきたが、これは、あらゆる点において、限定ではなく例証を意図したものである。当業者には、本発明の範囲から逸脱することなく、本発明のさまざまな変更および改変が可能であることは明白であろう。それゆえ、本発明の範囲は請求項に記述され、上記説明によって裏付けられる。
【図面の簡単な説明】
【００５６】
【図１】本発明による第１実施形態のカートンの斜視図である。
【図２】図１のカートンを形成するためのブランクの平面図である。
【図３】図２のブランクから形成されるカートンを部分的に組み立てた状態で示す側面図である。
【図４】図１のカートンの側面図である。
【図５】図１のカートンの端面図である。
【図６】物品を配給するために一部が除去された図１のカートンの斜視図である。
【図７】本発明による第２実施形態のカートンの斜視図である。
【図８】図７のカートンを形成するためのブランクの平面図である。
【図９】図８のブランクから形成された図７のカートンを、そこから物品を配給するために、その一部を部分的に分離させた状態で示す斜視図である。
【図１０】図８のブランクから形成された図７のカートンを、物品を配給するために、その一部を完全に分離させた状態で示す斜視図である。
【図１１】図８のブランクから形成された図７のカートンを、物品を配給するために、その一部を完全に分離させた状態で示す別の斜視図である。
【図１２】本発明による第３実施形態のカートンの斜視図である。
【図１３】図１２のカートンを形成するためのブランクの平面図である。
【図１４】図１３のブランクから形成された図１２のカートンを、そこから物品を配給するために、その一部を部分的に分離させた状態で示す斜視図である。
【図１５】図１３のブランクから形成された図１２のカートンを、物品を配給するために、その一部を完全に分離させた状態で示す斜視図である。
【図１６】図１３のブランクから形成された図１２のカートンを、物品を配給するために、そこから第２の部分を完全に分離させた状態で示す斜視図である。
【図１７】本発明による第４実施形態のカートンの斜視図である。
【図１８】図１７のカートンを形成するためのブランクの平面図である。
【図１９】図１８のブランクから形成された図１７のカートンを、物品を配給するために、その一部を完全に分離させた状態で示す斜視図である。
【図２０】図１２のカートンの改変形態を示す斜視図である。
【符号の説明】
【００５７】
１０,１２,１４,１５  カートン
１６  ブランク
１８,２０,２２,２４  パネル
２６,２８,３０,３２,３４,３６,３８  折曲げ線
４１  第１の切欠き
４３  第２の切欠き
４５  第３の切欠き
４７  第４の切欠き
５２,５４  底面端部フラップ
５６,５８  上面端部フラップ
６０,６２,６４,６６  側方端部フラップ
７２,７４,７６,７８  ウエブパネル
８０  縁部フラップ
８２  折曲げ線
８６  除去可能部分
８８ａ〜８８ｄ  無端引裂き線
９０  引裂き起点タブ
９１  中央分割線
１１０  ブランク
１１６,１１８,１２０,１２２,１２４  パネル
１３０,１３２,１３４,１３６  折曲げ線
１４０,１４２  横断折曲げ線
１４４,１４６,１４８,１５０  底面端部フラップ
１５２,１５４  上面端部フラップ
１５６,１５８,１６０,１６２  側方端部フラップ
１７０  側方／上側縁部
１８６  除去可能部分
１８８ａ〜１８８ｄ  無端引裂き線
１９０  引裂き起点タブ
１９１  弓形折曲げ線
２１０  ブランク
２１８,２２０,２２４,２２６,２２８  パネル
２３０,２３２,２３４,２３６  折曲げ線
２４０,２４２  横断折曲げ線
２４４,２４６  端部フラップ
２５２,２５４  上面端部フラップ
２５６,２５８  側壁フラップ
２６０,２６２,２６４,２６６  側方端部フラップ
２６８  ハンドル補強パネル
２７０  折曲げ線
２７２  仕切りパネル
２８２  第１の除去可能部分
２８４  第２の除去可能部分
２８６ａ〜２８６ｄ,２８８ａ〜２８８ｄ  引裂き線
２９０,２９２  引裂き起点タブ
３１０  ブランク
【図１】
2007527347.tif 000003
【図２】
2007527347.tif 000004
【図３】
2007527347.tif 000005
【図４】
2007527347.tif 000006
【図５】
2007527347.tif 000007
【図６】
2007527347.tif 000008
【図７】
2007527347.tif 000009
【図８】
2007527347.tif 000010
【図９】
2007527347.tif 000011
【図１０】
2007527347.tif 000012
【図１１】
2007527347.tif 000013
【図１２】
2007527347.tif 000014
【図１３】
2007527347.tif 000015
【図１４】
2007527347.tif 000016
【図１５】
2007527347.tif 000017
【図１６】
2007527347.tif 000018
【図１７】
2007527347.tif 000019
【図１８】
2007527347.tif 000020
【図１９】
2007527347.tif 000021
【図２０】
2007527347.tif 000022
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
複数の物品を収容するためのカートンであって、
カートン壁を形成するための連続したパネルと、前記物品の個々の取り出しを容易にするためのカートン端部に形成されたアクセス手段と、を具備してなり、
前記アクセス手段は、カートンの上面壁、端壁および一方のみの側壁の隣接する除去可能部分を具備してなり、
前記除去可能部分は、取り出される最端物品の一部を露出させるべく、カートンの一つのコーナーを除去するために、ユニットとして分離させることが可能であり、
前記分離可能なユニットは破断可能線によって形成され、この破断可能線は直線部分を具備してなり、前記除去可能なユニットは、この直線部分を回動中心とするヒンジ連結が可能となっており、
前記アクセス手段は起点要素を具備し、この起点要素は、前記除去可能部分へのアクセスを開始し、かつ起点要素自身から前記直線ヒンジ部に向って下方に前記分離可能なユニットを段階的に分離させるのを容易なものとするために設けられており、かつ
前記最端物品を露出させた後に残る前記端壁の一部は前記上面壁に隣接していることを特徴とするカートン。
【請求項２】
前記除去可能部分がいったんカートンから切り離されると、前記端壁および前記上面壁の前記残存部分は、他方の側壁と協同で、カートン内容物の十分な保持機能をもたらし、これによって開封されたカートンは、前記物品が直立状態となる第１のポジションあるいは前記物品がその側面を下にして横たわる第２のポジションにて配置可能となり、その一方で、物品の意図しない飛び出しを抑止し、かつ同時に、カートンからの最端物品の取り出しを可能とするようになっていることを特徴とする請求項１に記載のカートン。
【請求項３】
前記物品はボトルであり、前記除去可能部分は、最端のボトルのネック部分を十分に露出させ、カートンからの前記ボトルの取り出しのために前記ネック部分をユーザーが容易に把持できるようになっていることを特徴とする請求項１に記載のカートン。
【請求項４】
前記端壁の残存部分はＬ形であることを特徴とする請求項１ないし請求項３のいずれか１項に記載のカートン。
【請求項５】
物品を収容するための二つのチャネルを具備してなり、
前記チャネルは、カートン内部に配置された仕切りパネルによって離隔されており、かつ前記アクセス手段は、前記チャネルの内容物へのアクセスを可能とするよう、前記チャネルの一方の端部に形成されていることを特徴とする請求項１に記載のカートン。
【請求項６】
前記他方のアクセス手段に隣接して配置されると共に、他方のチャネルの内容物へのアクセスを可能とするよう前記チャネルの他方の端部に形成された第２のアクセス手段を具備してなると共に、前記隣接するアクセス手段は共通破断可能線によって形成されていることを特徴とする請求項５に記載のカートン。
【請求項７】
前記端壁と前記一方の側壁との間に配置された傾斜したコーナーパネルをさらに具備してなると共に、前記直線ヒンジ部は前記傾斜したコーナーパネルに形成されていることを特徴とする請求項１に記載のカートン。
【手続補正２】
【補正対象書類名】明細書
【補正対象項目名】０００２
【補正方法】変更
【補正の内容】
【０００２】
カートンは有用なものであり、消費者がソフトドリンクのような物品を所望の数量だけ購入し、運搬し、そして保管することを可能とする。消費者に都合のよいように、あるカートンはディスペンサーを有し、これは、一度に一つだけ物品を取り出すことを可能とする一方で、残りの物品については保持し続ける。カートンの一部が開口部を形成するためにちぎり取られ、物品はこの開口部から取り出し可能となる。通常、カートン内には、あるものが他のものの上に載った状態となった複数列の物品が存在する。最端の物品をディスペンサーを経てカートンから取り出すと、他の物品は前方に移動してくる。そうした除去可能部分は特許文献１に示されているが、この部分のちぎり取りを開始するのが困難なことがあり、しかもアクセス手段は使用するのが困難なことがある。物品のディスプレイを可能にするカートンが特許文献２に開示されているが、それに開示されたカートンは物品の別個の取り出しを可能とするものではなく、それどころか、カートン内に収容された全ての物品のディスプレイを容易にするものである。
【手続補正３】
【補正対象書類名】明細書
【補正対象項目名】０００３
【補正方法】変更
【補正の内容】
【０００３】
あるものが他のものと並んだ状態となった複数段の物品用のより大型カートンも存在するが、各段は、あるものが他のものの上に載った状態となった複数列の物品を有する。この大型カートンは、通常、２段積みカートンと呼ばれる。
【特許文献１】英国特許出願公開第2300853号明細書(GB-A-2300853)
【特許文献２】米国特許出願公開第2002/070145号明細書(US-A-2002/070145 to Yuhas)
【手続補正４】
【補正対象書類名】明細書
【補正対象項目名】０００５
【補正方法】変更
【補正の内容】
【０００５】
本発明は、改良された物品ディスペンサーを備えたカートンを提供するものであり、この物品ディスペンサーは場合によっては無端引裂き線によって形成され、それは、さまざまなタイプのカートン内の物品を簡単に手に取ることができるようにする。
【手続補正５】
【補正対象書類名】明細書
【補正対象項目名】０００８
【補正方法】変更
【補正の内容】
【０００８】
第１の様態によれば本発明は、複数の物品を収容するためのカートンであって、カートン壁を形成するための連続したパネルと、上記物品の個々の取り出しを容易にするためのカートン端部に形成されたアクセス手段とを具備してなり、このアクセス手段は、カートンの上面壁、端壁および一方のみの側壁の隣接する除去可能部分を具備してなり、この除去可能部分は、取り出される最端物品の一部を露出させるべく、カートンの一つのコーナーを除去するために、ユニットとして分離させることが可能であり、この分離可能なユニットは破断可能線によって形成され、この破断可能線は直線部分を具備してなり、上記除去可能なユニットは、この直線部分を回動中心とするヒンジ連結が可能となっており、上記アクセス手段は起点要素を具備し、この起点要素は、上記除去可能部分へのアクセスを開始し、かつ起点要素自身から上記直線ヒンジ部に向って下方に上記分離可能なユニットを段階的に分離させるのを容易なものとするために設けられており、かつ上記最端物品を露出させた後に残る上記端壁の一部は上記上面壁に隣接しているカートンを提供する。
好ましくは、上記端壁および上記上面壁の残存部分は、いったん上記除去可能部分をカートンから分離させてしまうと、他方の側壁と共に、カートン内容物の十分な保持機能をもたらす。これによって、開封されたカートンを第１のポジション(このポジションでは物品は直立状態である)あるいは第２のポジション(このポジションでは物品はその側面を下にして横たわる)で配置することが可能となり、その一方で、物品の意図しない飛び出しが抑止され、しかも同時に、最端の物品をカートンから取り出すことが可能となる。
さらに一層好ましくは、上記物品はボトルであり、しかも上記除去可能部分は最端のボトルのネック部分を十分に露出させ、カートンからのボトルの取り出しのために、ユーザーが、このネック部分を容易に把持することを可能とする。上記端壁の残存部分はＬ形であってもよい。
好ましくは、本カートンは物品を収容するための二つのチャネルを具備してなり、このチャネルはカートン内部に配置された仕切りパネルによって離隔されると共に、上記アクセス手段は、上記チャネルの内容物にアクセスできるよう上記チャネルの一方の端部に形成される。好ましくは、本カートンは、他方のアクセス手段に隣接して配置されかつ上記他方のチャネルの内容物へのアクセスを可能とするよう上記チャネルの他方の端部に形成された第２のアクセス手段を具備してなることが可能であると共に、上記隣接するアクセス手段は共通破断可能線によって形成される。好ましくは、本カートンは、端壁と一方の側壁との間に配置された傾斜したコーナーパネルを具備していてもよく、上記直線ヒンジ部は、この傾斜したコーナーパネルに形成される。
【国際調査報告】
2007527347.tif 000023
2007527347.tif 000024
2007527347.tif 000025